(57)【要約】【課題】  破壊を確実に検知することにより確実に緊急通報を実行できる携帯電話機を提供する。【解決手段】  携帯電話機２０１は、物理的および電気的に接続された第１ブロック２０２と第２ブロック２０３とで構成された筐体を有し、第１ブロック２０２と第２ブロック２０３との電気的接続が断たれることによって電位が変化する信号線１１６と、信号線１１６の電位が変化したことを検知する電位変化検知部１１１と、電位変化検知部１１１によって部位Ｔの電位が変化したことが検知されたときに、緊急事態発生を外部に通知するＣＰＵ１０４と、を備えている。【選択図】        図１
2008131155.tif 000002
【特許請求の範囲】
【請求項１】
物理的および電気的に接続された第１ブロックと第２ブロックとで構成された筐体を有する携帯電話機であって、
前記第１ブロックと第２ブロックとの電気的接続が断たれることによって電位が変化する電位変化部と、
前記電位変化部の電位が変化したことを検知する電位変化検知部と、
前記電位変化検知部によって電位変化部の電位が変化したことが検知されたときに、緊急事態発生を外部に通知する緊急事態発生通知部と、
を備えたことを特徴とする携帯電話機。
【請求項２】
前記電位変化部は、第１ブロックと第２ブロックとが電気的に接続されているときにグランド電位であり、第１ブロックと第２ブロックとの電気的接続が断たれたときにプルアップ電位となることを特徴とする請求項１記載の携帯電話機。
【請求項３】
物理的および電気的に接続された第１ブロックと第２ブロックとで構成された筐体を有する携帯電話機であって、
前記第１ブロックに搭載され第２ブロックとの間で無線通信を行う第１無線通信部と、
前記第２ブロックに搭載され第１ブロックとの間で無線通信を行う第２無線通信部と、
前記第１無線通信部と第２無線通信部との無線通信が可能か不能かを検知する無線通信可否検知部と、
前記無線通信可否検知部によって無線通信が不能であることが検知されたときに、緊急事態発生を外部に通知する緊急事態発生通知部と、
を備えたことを特徴とする携帯電話機。
【請求項４】
前記緊急事態発生通知部は、予め登録しておいた緊急連絡先に対し、電子メールまたは音声通話によって、緊急事態発生を現在位置情報とともに通知することを特徴とする請求項１または３記載の携帯電話機。
【請求項５】
前記第１ブロックおよび第２ブロックは、前記第１ブロックと第２ブロックとの物理的接続部分よりも、高い強度を有することを特徴とする請求項１または３記載の携帯電話機。
【発明の詳細な説明】
【技術分野】
【０００１】
本発明は、物理的および電気的に接続された第１ブロックと第２ブロックとで構成された筐体を有する携帯電話機に関するものである。
【背景技術】
【０００２】
従来の携帯電話機では、犯罪に遭遇した際に、犯人によって筐体の一部が破壊されると現在位置情報を緊急連絡先に報知していた。特に、筐体の破壊を検知するために、筐体が破壊されたときに電流が流れるよう構成した電気回路が必要であった。特許文献１参照。
【０００３】
【特許文献１】特開2003-198704（図１、段落０００７、段落００２１）
【特許文献２】特開2001-045183
【発明の開示】
【発明が解決しようとする課題】
【０００４】
しかしながら、筐体が物理的に破壊されると同時に電気的にも破壊されてしまい、期待通りに電流が流れないことによって、破壊が検知されず、結果的に緊急通報できないことがあった。
【０００５】
本発明の目的は、破壊を確実に検知することにより確実に緊急通報を実行できる携帯電話機を提供することである。
【課題を解決するための手段】
【０００６】
本発明は、物理的および電気的に接続された第１ブロックと第２ブロックとで構成された筐体を有する携帯電話機であって、
前記第１ブロックと第２ブロックとの電気的接続が断たれることによって電位が変化する電位変化部と、
前記電位変化部の電位が変化したことを検知する電位変化検知部と、
前記電位変化検知部によって電位変化部の電位が変化したことが検知されたときに、緊急事態発生を外部に通知する緊急事態発生通知部と、
を備えたことを特徴とする携帯電話機である。
【０００７】
また本発明は、物理的および電気的に接続された第１ブロックと第２ブロックとで構成された筐体を有する携帯電話機であって、
前記第１ブロックに搭載され第２ブロックとの間で無線通信を行う第１無線通信部と、
前記第２ブロックに搭載され第１ブロックとの間で無線通信を行う第２無線通信部と、
前記第１無線通信部と第２無線通信部との無線通信が可能か不能かを検知する無線通信可否検知部と、
前記無線通信可否検知部によって無線通信が不能であることが検知されたときに、緊急事態発生を外部に通知する緊急事態発生通知部と、
を備えたことを特徴とする携帯電話機である。
【発明の効果】
【０００８】
本発明によれば、第１ブロックと第２ブロックとの物理的接続部分が破壊されることによって、第１ブロックと第２ブロックとの電気的接続が断たれた場合に、確実に緊急通報を実行することができる。
【０００９】
また本発明によれば、第１ブロックと第２ブロックとの物理的接続部分が破壊されることによって、第１ブロックと第２ブロックとの距離が離れた場合に、確実に緊急通報を実行することができる。
【発明を実施するための最良の形態】
【００１０】
実施の形態１．
図１は、本発明の実施の形態１における携帯電話機の構成を示す図である。携帯電話機２０１は、２つ折れ型やスライド型等のように、大まかに第１ブロック２０２と第２ブロック２０３とで構成された筐体を有している。第１ブロック２０２と第２ブロック２０３とは、接続部１１４によって物理的かつ電気的に接続されている。
【００１１】
第１ブロック２０２は、通信制御部１０１、無線部１０２、アンテナ１０３、中央演算処理部（ＣＰＵ）１０４、記憶部１０５、キー入力部１０７、電源制御部１０８、充電制御部１０９、電池１１０、電位変化検知部１１１、プルアップ素子１１２、現在位置確認部１１５、および信号線１１６の一部を備えている。
【００１２】
通信制御部１０１は、音声通話、データ通信、及び待ち受け等の通信処理に関する制御を行う。無線部１０２は、無線信号の変復調を行う。アンテナ１０３は、基地局（図示なし）との間で無線信号を送受信する。ＣＰＵ１０４は、無線信号処理をはじめ各部の制御を行う。記憶部１０５は、ＣＰＵ１０４で処理するソフトウェアプログラムやデータを記憶させる。キー入力部１０７は、電話番号や文字を入力するためのユーザインタフェースである。電源制御部１０８は、電池１１０の電力を携帯電話機２０１で必要な電圧に変換し各ブロックへ分配する制御を行う。充電制御部１０９は、電池１１０への充電を制御する。電池１１０は、電力供給を行うための電源である。電位変化検知部１１１は、信号線１１６の部位Ｔにおける電位Ｐが変化したことを検知する。プルアップ素子１１２は、信号線１１６が断線した場合に、部位Ｔにプルアップ電位を供給する。現在位置確認部１１５は、携帯電話機２０１の現在位置（緯度、経度）を測位する。
【００１３】
第２ブロック２０３は、キー入力部１２１、表示部１２２、および信号線１１６の一部を備えている。キー入力部１２１は、キー入力部１０７と同じく、電話番号や文字を入力するためのユーザインタフェースである。表示部１２２は、表示出力を行うユーザインタフェースである。
【００１４】
信号線１１６は、第１ブロック２０２から接続部１１４を経由して第２ブロック２０３に達するように配設され、部位Ｔの電位が正常時はグランドレベルとなり、寸断時にプルアップレベルに電圧が変化する。
【００１５】
第１ブロック２０２および第２ブロック２０３は、接続部１１４よりも高い強度となるように構成している。
【００１６】
図２は、本発明の実施の形態１における通信ネットワークの接続状態を示す図である。携帯電話機２０１、第１ブロック２０２、および第２ブロック２０３は、図１において説明したものである。携帯電話機２０１と緊急連絡先２０８とは、移動通信ネットワーク２０７を介して無線通信により相互接続されている。
【００１７】
電位変化検知部１１１で接続部１１４の電気的寸断を検知すると、キー入力操作がなくとも現在位置確認部１１５で取得した位置情報を伴う緊急連絡用データを、ＣＰＵ１０４で作成し、無線通信用のデータにＣＰＵ１０４で変換した後、無線部１０２で変調し、アンテナ１０３で移動通信ネットワーク２０７を経由して緊急連絡先２０８へ報知する。
【００１８】
電位変化検知部１１１に接続されている信号線１１６は、正常時は、第１ブロック２０２側と第２ブロック２０３側とが接続されているため、部位Ｔがグランド電位となり、これを電位変化検知部１１１において検知している。この状態を、接続部１１４が寸断されていない状態とする。これに対し、図２に示すように、携帯電話機２０１が第１ブロック２０２と第２ブロック２０３とに分断されてしまうと、図３に示すように、第１ブロック２０２と第２ブロック２０３との間が電気的に切断された状態となる。すると、信号線１１６は第１ブロック２０２側と第２ブロック２０３側とに分断されるため、プルアップ素子１１２により部位Ｔの電位がプルアップ電位となり、電位変化検知部１１１によってこれを検知する。この状態を、第１ブロック２０２と第２ブロック２０３とが分断された状態とする。これにより、第１ブロック２０２と第２ブロック２０３とが分断された場合の判断を行うことが出来る。
【００１９】
ＣＰＵ１０４は、電位変化検知部１１１を通して信号線１１６の部位Ｔの電位Ｐを、一定周期ごとに確認することで分断の確認を行う。あるいは、信号線１１６の部位Ｔの電位Ｐが変化した際に、電位変化検知部１１１がＣＰＵ１０４へ割込を通知することで、分断の確認を行う。これにより、第１ブロック２０２と第２ブロック２０３とが分断された後に遅延無くＣＰＵ１０４がそのことを確認することができる。
【００２０】
ＣＰＵ１０４が電位変化検知部１１１を通して分断したと判断すると、現在位置確認部１１５で取得した位置情報をＣＰＵ１０４で緊急連絡用データとして自動的に作成し、無線通信用のデータにＣＰＵ１０４で変換した後、無線部１０２で変調し、アンテナ１０３で移動通信ネットワーク２０７を経由して緊急連絡先２０８へメール（パケット通信）で報知する。それと同時に、緊急連絡先２０８へ自動的に電話をかけ、予め記憶部１０５に保存してある緊急である旨の合成音声を回線交換方式で報知する。
【００２１】
このように実施の形態１によれば、強盗・誘拐などの犯罪に遭遇したときに、犯人に携帯電話機２０１を奪われ、携帯電話機２０１が第１ブロック２０２と第２ブロック２０３とに分断された場合に於いても、簡易な構成によって破壊を検知することができるので、緊急連絡先２０８への連絡を確実に行うことができ、犯罪の早期解決を促すことが可能となる。
また、第１ブロック２０２および第２ブロック２０３は、接続部１１４よりも高い強度となるように構成しているので、信号線１１６が寸断されやすくなり、携帯電話機２０１が破壊された際に信号線１１６を確実に寸断することができる。これにより、緊急連絡先２０８への連絡を更に確実に行うことができる。
【００２２】
実施の形態２．
図４は、本発明の実施の形態２における携帯電話機の構成を示す図である。前述の実施の形態１では、第１ブロック２０２と第２ブロック２０３とを接続する接続部１１４に、信号線１１６を有線で通すことにより、電気的に寸断されたことを検知したが、本実施の形態２では、図４に示すように、携帯電話機３０１の第１ブロック３０２と第２ブロック３０３とを近距離無線で接続したものである。
【００２３】
具体的には、第１ブロック３０２にブロック間通信制御部４０１、ブロック間通信無線部４０２およびアンテナ４０５を搭載し、第２ブロック３０３にブロック間通信制御部４０３、ブロック間通信無線部４０４およびアンテナ４０６を搭載し、キー入力部１２１とＣＰＵ１０４との接続、および表示部１２２とＣＰＵ１０４との接続を近距離無線に置き換えている。
【００２４】
こうした構成により、第１ブロック３０２と第２ブロック３０３との間の接続部１１４に信号を通すことのない携帯電話機３０１を構成できる。
【００２５】
ブロック間通信制御部４０１は、例えばＣＰＵ１０４で生成した表示データをブロック間通信無線部４０２で扱えるデータに変換し、ブロック間通信無線部４０２で変調した信号をアンテナ４０５から無線送信する。アンテナ４０６で受信した信号をブロック間通信無線部４０４で復調し、ブロック間通信制御部４０３で表示データに戻し、表示部１２２に送る。
【００２６】
また、ブロック間通信制御部４０３は第２ブロック３０３に搭載されているキー入力部１２１の押下情報をブロック間通信無線部４０４で扱えるデータに変換し、ブロック間通信無線部４０４で変調した信号をアンテナ４０６から送信する。アンテナ４０５で受信した信号をブロック間通信無線部４０２で復調し、ブロック間通信制御部４０１で押下情報に戻し、ＣＰＵ１０４に送る。
【００２７】
これらの第１ブロック３０２と第２ブロック３０３との間の無線通信は、第１ブロック３０２と第２ブロック３０３とが近距離（数cm〜数十cm以内）でのみ行うことができる程度の微弱電波による無線通信であり、定期的に通信を行うことによって、第１ブロック３０２と第２ブロック３０３が近距離にある、すなわち寸断されていないという判断をブロック間通信制御部４０１が行うことが出来る。
【００２８】
一方、携帯電話機３０１が第１ブロック３０２と第２ブロック３０３とに分断されてしまうと、図５に示すように、第１ブロック３０２と第２ブロック３０３との間が一定距離以上離れた状態となる。すると、距離が離れたことが原因、あるいは電源が供給されなくなることが原因で、第１ブロック３０２と第２ブロック３０３との間で定期的に行われていた通信が途絶える。この状態を、第１ブロック３０２と第２ブロック３０３とが分断された状態とする。
【００２９】
このように実施の形態２によれば、近距離無線通信によって、第１ブロック３０２と第２ブロック３０３とが分断された場合の判断を行うことが出来る。ＣＰＵ１０４は、ブロック間通信制御部４０１から通知を受けることで分断の確認を行う。よって、実施の形態１と同じく本実施の形態２においても、緊急連絡先２０８への連絡を確実に行うことができ、犯罪の早期解決を促すことが可能となる。
【図面の簡単な説明】
【００３０】
【図１】本発明の実施の形態１における携帯電話機の構成を示す図である。
【図２】実施の形態１における通信ネットワークの接続状態を示す図である。
【図３】実施の形態１における破壊された携帯電話機を示す図である。
【図４】本発明の実施の形態２における携帯電話機の構成を示す図である。
【図５】実施の形態２における破壊された携帯電話機を示す図である。
【符号の説明】
【００３１】
１０１  通信制御部
１０２  無線部
１０３  アンテナ
１０４  中央演算処理部（ＣＰＵ）
１０５  記憶部
１０７，１２１  キー入力
１０８  電源制御部
１０９  充電制御部
１１０  電池
１１１  電位変化検知部
１１２  プルアップ素子
１１４  接続部
１１５  現在位置確認部
１１６  信号線
１２２  表示部
２０１，３０１  携帯電話機
２０２，３０２  第１ブロック
２０３，３０３  第２ブロック
２０７  移動通信ネットワーク
２０８  緊急連絡先
４０１，４０３  ブロック間通信制御部
４０２，４０４  ブロック間通信無線部
４０５，４０６  アンテナ
【図１】
2008131155.tif 000003
【図２】
2008131155.tif 000004
【図３】
2008131155.tif 000005
【図４】
2008131155.tif 000006
【図５】
2008131155.tif 000007